(57)【要約】      （修正有）【課題】勾配のある屋根に積った雪を遠い位置からでも最小限の作業移動で、効率良く安全に雪を下ろす雪下ろし具の提供。【解決手段】バケット１５は、先端部５３の横幅を狭く、後端部５４は横幅を広く、余分な雪がバケット１５に入り込まない形状とし、バケット１５の両側に側板１７ａ，１７ｂを特に高くすることにより、バケット１５の外に雪がこぼれ出るのを軽減する。更に、仕切板１８とリブ１９は、バケット１５に入り込んだ雪を分離切断し、スムーズな排雪を可能とする。  また、バケット１５のＲ背板２１の作用で、入り込んだ雪の上に重なるようにして、バケット１５を軒先まで押し出し滑落させる。  バケット１５の角度を調節する装置と柄の長短調節する伸縮装置１１をそなえ、更につららを落とす鉤棒体２６と転落を防ぐための引っ掛ける棒体２５を形成する雪下ろし具。【選択図】図１
2007023754.tif 000002
【特許請求の範囲】
【請求項１】
本発明のバケット（１５）に、余分な雪が入り込まないよう後端部（５４）の横幅を広く、先端部（５３）は横幅を狭くし、雪が後端部（５４）に達するまでに、外へこぼれ出るのを軽減すべく、側板（１７ａ，１７ｂ）を特に高く形成する。
また、後端部（５４）まで達した雪は、背板（１６）と一体化に形成されたＲ背板（２１）の内面で、めくり上がり、バケット（１５）の先端部（５３）の方向にまくれ落ちた状態で軒先まで押し出す。
バケット（１５）の内側に形成された仕切板（１８，１８，１８）は、入り込んでくる雪を分離、切断し、雪の抵抗を弱め、スムーズにバケット（１５）の排雪を可能とし、床板（２０）や背板（１６）をも補強する。
床板（２０）及び背板（１６）の内面に、一定の位置から山型に形成された逆Ｌ字形のリブ（１９，１９，１９，１９）も雪の付着抵抗を弱め、スムーズにバケット（１５）の排雪を可能とし、床板（２０）や背板（１６）をも補強する。
更に、床板（２０）の外底面に複体形状で弓形としたガイド材（２２，２２，２２，２２）により、バケット（１５）を押す重量感は半減し、適切な滑りになる。以上のような特徴を持った雪下ろし具。
【請求項２】
伸縮装置の雌ネジ体（３０）の面（Ｄ）に、ブロック（３２）を保持したライナー（３１）を接着し、更に、雌ネジ体（３０）の面（Ａ，Ｂ，Ｃ）にカバー（２９）を接着し、一体化した構成となる。
一方、雄ネジ体（３４）は、リング（３６）を接着した柄（２ａ）に、ブロック（３２）が用意に進入を可能とすべく通路（３５）で、柄（２ａ）の先端部（３７ａ）を拡径し、雄ネジ体（３４）に接着し、一体化した構成となり、リング（３６）は、柄（１ａ）を柄（２ａ）に挿入後、柄（２ａ）に接着する。
また、柄（１ａ）の先端（４２）は柄（２ａ）のリング（３６）から取手方向に抜け落ちないようＬ字形ストッパー（３７）を形成する。
更に、雌ネジ体（３０）に一体化されたブロック（３２）を保持したライナー（３１）が雄ネジ体（３４）に接着した先端部（３７ａ）の通路を経てリング（３６）の方向に停止する位置まで締め込み進入させることにより、柄（１ａ）の外面と柄（２ａ）の内面との間にブロック（３２）が挟持されており停止する。
また、柄（１ａ）による長短調節は、一体化した雌ネジ体（３０）を緩めることにより、雄ネジ体（３４）に接着してある柄（２ａ）から離れ、柄（１ａ）は前後移動を自在にする。以上のような特徴を持った雪下ろし具。
【請求項３】
取手（１０）は、単にバケット（１５）を押す握り手（２３）以外に、つららを挟み、折り落とす機能をそなえた鉤棒体（２６）と屋根での作業の移動や転落を未然に防ぐ一つの命綱として、窓の手摺や格子等、所要の対象物に引っ掛ける機能の棒体（２５）を形成する。以上のような特徴を持った雪下ろし具。
【発明の詳細な説明】
【技術分野】
【０００１】  本発明は、勾配のある屋根に積もった雪を効率が良く、また、屋根から作業者が転落する危険も回避可能な雪下ろし具に関する。
【背景技術】
【０００２】  従来から屋根に積った雪を下ろすには、スコップが主流であった。
近年になり、道具も改良され種々あるが、最近は、スノーダンプ系の道具が多く見受けられる。
【発明の開示】
【発明が解決しようとする課題】
【０００３】  そこで、上述の方法であるスコップによる雪下ろしは、先ず屋根の軒先から下ろしながら順次移動するのであるが、一定の位置に立ち止まって下ろせる面積はスコップの長さ分に過ぎず、次に移動しても同様の面積分を下すことになり、屋根全体の雪を下ろし終えるまでには、何十回もの移動の繰り返しであり、大変な労力を必要とする。【０００４】  また、屋根の雪は地上に落とすことになるが、軒先の雪は地上に近いので、たいして苦労もなく落とせるが、２段階、３段階と屋根の棟に移動するほど地上が遠くなり、一回の作業では地上までには届かず、屋根上において、２回、３回と繰り返しながら同じ雪を軒先近くまで運ばなければ、地上に落とすことができず、労力の浪費でしかない。【０００５】  更にいえば、雪を地上に落とすには、最終的に屋根の雪を軒先まで運んでいなければ容易に落とすことはできない。しかし、雪下ろしの中でよくある作業者の地上への転落事故の最大の要因は軒先での作業にある。軒先は滑りやすく、一歩でも足を踏み外すと、即、地上への転落となり、非常に危険である。【０００６】  次に、近年多く使われているスノーダンプ系の道具について説明すれば、該道具は雪の量は多く入り、軒先から遠く離れた雪をそのまま軒先まで一気に運んで地上に落とすことも可能ではあるが、しかし、該道具なるものの、ほとんどの構造は、該道具の床の底面と屋根上の残雪との接触面は、ソリ以上に急な湾曲形のものが多く、滑り過ぎる形状をなしており、勾配の付いている屋根では、該道具は加速し、軒先で止めることができず、雪を積んだ該道具と作業者が一体となって軒先から地上に転落する事故の絶えないのが現状である。依って、以上の点を解消すべく、作業効率が良く、安全な雪下ろし具を提供する。
【課題を解決するための手段】
【０００７】  上述の課題を解決すべく本発明は勾配のある屋根に積もった雪を作業効率も良く、安全に下ろすことを目的とするもので、独特の機能と形状をなすバケット（１５）とバケット（１５）を押し出す作業をする柄（２０）を取り付ける基盤（１４）と柄（１ａ）と柄（２ａ）との継ぎ、更に、柄（１ａ）の長短調節する場合の伸縮装置と独特の機能と形状をなす取手（１０）とにより構成されている。【０００８】（イ）本発明のバケット（１５）は、余分な雪がバケット（１５）に入り込まないよう後端部（５４）の横幅を広く、先端部（５３）は横幅を狭くし、バケット（１５）で雪を押し出す作業に入り、バケット（１５）の先端部（５３）から入り込む雪は、幅広の後端部（５４）に達するまでに、バケット（１５）の両外側から外にこぼれ出る雪を軽減すべく、側板（１７ａ，１７ｂ）を特に高く形成する。
また、後端部（５４）まで到達した雪は背板（１６）と一体化に形成されたＲ背板（２１）の内面でめくり上がりながらバケット（１５）の先端部（５３）の方向に雪がまくれ落ちた状態のまま、軒先まで押し出され地上に滑落させる。
バケット（１５）の内側に形成された仕切板（１８，１８，１８）は、先端部（５３）より入り込んでくる雪を分離、切断し、バケット（１５）から押し出し排雪するとき、バケット（１５）内での雪の付着抵抗を弱め、スムーズにバケット（１５）の雪を排出し、また、床板（２０）や背板（１６）をも補強する
更に、床板（２０）の内面の一定の位置から背板（１６）の内面に添うよう山型に形成された逆Ｌ字形のリブ（１９，１９，１９，１９）は、バケット（１５）から排雪するときに雪の付着抵抗を弱め、スムーズにバケット（１５）の雪を排出し、また床板（２０）や背板（１６）をも補強する。
床板（２０）の外底面に複体形状で弓形としたことにより、適切な滑りをするガイド材（２２，２２，２２，２２）は、雪が入ったバケット（１５）を押し出すときに重量感は半減し、容易にバケット（１５）を押し出すことが可能である。【０００９】（ロ）図８、図９が示すように、バケット（１５）の背板（１６）の外面に一体化に形成された基盤（１４）には、翼体（３ｂ，４ｂ）が形成され、柄（２ａ）の先端には、キャップ（５０）を接着し、中心部には水抜孔（５１）を設ける。
可動部（１２）に関する翼体（３ｂ）同（４ｂ）の所定の位置に雌ネジボルト（４４）及び雄ネジボルト（４５）の挿入可能な通し孔（５２ａ）及び、通し孔（５２）をそれぞれあけ、柄（２ａ）の可動部（１２）にあたるキャップ（５０）を接着した形状の柄（２ａ）に雌ネジボルト（４４）及び雄ネジボルト（４５）が入り込む通し孔（５２ａ）と相対面する位置に軸体（４９）が入る通し孔（５２ａ）をあけ、軸体（４９）を接着し、雌ネジボルト（４４）及び雄ネジボルト（４５）を軸体（４９）の内部に挿入し、締結することにより、柄（２ａ）は上下自在に回動する。
一方、角度調節部（１３）は、翼体（３ｂ）同（４ｂ）の所定の位置に雌ネジボルト（３９）及び雄ネジボルト（４０）の挿入可能な通し孔（５２）を複数あけ、該、通し孔（５２）の相対面する位置の柄（２ａ）にも通し孔をあけ、雌ネジボルト（３９）及び雄ネジボルト（４０）を挿入し締結する。複数の通し孔（５２）は、現状に応じ、いずれかを選択し、自由に利用する。【００１０】（ハ）本発明の伸縮装置（１１）は、図７で示すように、柄（１ａ）及び柄（２ａ）との長短を調節するもので、ライナー（３１）の所定の位置に孔を設け、ブロック（３２）を嵌め込み、該ライナー（３１）を雌ネジ体（３０）と接触する面（Ｄ）に接着し、これに加え、カバー（２９）が接触する面（Ａ，Ｂ，Ｃ）を接着することにより、雌ネジ体（３０）が一体化となる。
また、雄ネジ体（３４）は、一定の長さに柄（２ａ）の先端部（３７ａ）を拡径し、雄ネジ体（３４）に接着するリング（３６）は、柄（１ａ）を柄（２ａ）に挿入後、柄（２ａ）の内面に接着し一体とする。
更に柄（１ａ）の先端（４２）は、柄（２ａ）のリング（３６）から取手方向に抜け落ちないようＬ字形ストッパー（３７）に形成する。
本装置は、雌ネジ体（３０）に一体化されたブロック（３２）を保持したライナー（３１）が、雄ネジ体（３４）に接着した先端部（３７ａ）の通路（３５）を経て、リング（３６）の方向に進み、停止する位置まで締め込み、進入させることにより、柄（１ａ）の外面と柄（２ａ）の内面との間にブロック（３２）が挟持され停止する。
また、柄（１ａ）による長短調節は、一体化した雌ネジ体（３０）を緩めることにより、雄ネジ体（３４）に接着してある柄（２ａ）から離れ、柄（１ａ）は前後移動を自在にする。【００１１】（ニ）本発明である取手（１０）は、単にバケット（１５）を押し出すだけの握手（２３）の機能だけでなく、他に鉤棒体（２６）の鉤に、つららを挟み、テコの原理で折り落とす機能を備え、棒体（２５）は屋根上での作業者が移動や転落を防ぐ一つの命綱ともなるもので、窓の手摺や格子等、所要の対象物さえあれば、棒体（２５）を引っ掛けられる。取手（１０）全体を支える軸体（２７）は、柄（１ａ）の頭部（４３）の内部に挿入し固定する。以上のような特徴を持った雪下ろし具。【００１２】（ホ）本発明に関する素材として、バケット（１５）及び基盤（１４）や翼体（３ｂ，４ｂ）は、合成樹脂系が望ましく、柄（２ａ）に接着する軸体（４９）も同様である。
また、可動部（１２）に使用する雌ネジボルト（４４）、雄ネジボルト（４５）及び、角度調節部（１３）の雌ネジボルト（３９）、雄ネジボルト（４４）及びリベット（２８，２８）は、スチールが望ましいが、本来の目的達成に支障がなければ特に限定はしない。
伸縮装置の雌ネジ体（３０）とカバー（２９）及びブロック（３２）と雄ネジ体（３４）は、合成樹脂系が望ましく、ライナー（３１）は、肉厚が薄く、且つ高い強度のものが望ましい。
一方、柄（１ａ）及び柄（２ａ）とキャップ（５０）は、アルミニウム合金が望ましいが、軽量で一定の強度があれば特に限定するものではなく、柄（２ａ）に接着するリング（３６）は合成樹脂系が望ましい。
更に、取手（１０）全体は、合成樹脂系が望ましいが、本来の目的達成に支障がなければ、特に限定はしない。
【発明の効果】
【００１３】  スコップやスノーダンプ等による勾配のある屋根に積もった雪下ろし作業は、これまで様々説明したように、作業効率の悪さや危険から免れることはできなかった。しかし、本発明によって、雪がこぼれ出るのを軽減したバケット（１５）、また、屋根勾配の角度や積もった雪の状態等に合わせ、バケット（１５）に一体化した基盤（１４）の可動部（１２）及び角度調節部（１３）が自在となり、更には、柄（１ａ，２ａ）は、伸縮装置（１１）により、長短自在が可能であり、作業者は、あまり移動することなく、一定の立ち止まった位置から相当量の排雪ができ、何よりも軒先での作業の必要性もなく、転落事故の防止になる効果は多大である。
更に、取手（１０）においては、単にバケット（１５）を押すだけではなく、他に鉤棒体（２６）につららを挟み、テコの原理で折り落とす機能を備え、また、棒体（２５）においては、屋根上での作業者の移動や転落を未然に防ぐ一つの命綱ともなり、窓の手摺や格子等に引っ掛けて使う機能を持っている。
【発明を実施するために最良の形態】
【００１４】  本発明の雪下ろし具の実施形態を図面に基づき詳述する。
（イ）本雪下ろし具のバスケット（１５）は、図１、図２、図３、図４で示すように、排出する雪が必要以上にバケット（１５）に入り込まないよう、後端部（５４）の横幅を広くし、先端部（５３）は逆に横幅を狭く、更に、両側の側板（１７ａ，１７ｂ）は、特に高く形成されているので、バケット（１５）を押すことによって入り込む雪のこぼれ出る量を相当軽減できる。
また、バケット（１５）の先端部（５３）から入り込んだ雪が後端部（５４）まで到達すると、Ｒ背板（２１）の内面でめくり上がりながら、すでに入り込んだバケット（１５）の雪の上に重なるように先端部（５３）の方向に落ちた状態となり、これを軒先までバケット（１５）を押し出し、地上の定めた位置に滑落させることになる。
バケット（１５）に形成された側板（１７ａ，１７ｂ）は、図２、図３が示すように、バケット（１５）に入り込んだ雪が両側からこぼれ出るのを防ぐべく、仕切版（１８，１８，１８）より、特に高さをとり、Ｒ背板（２１）は、バケット（１５）の内側の後端部（５４）から押されてめくり上がってくる雪をバケット（１５）の後部にこぼれ出ないよう、バケット（１５）の内側に落とす形成になっている。
バケット（１５）の内側に形成された仕切板（１８，１８，１８）は、バケット（１５）を押し出すことにより、先端部（５３）より、入り込んでくる雪を分離すべき一定の高さまで切断し、バケット（１５）に入り込んだ雪を軒先まで押し出し排雪するとき、バケット（１５）内での雪の付着抵抗を弱め、容易に排雪が可能である。と共に床板（２０）や背板（１６）の補強機能を持っている。
また、床板（２０）の内面の一定位置から、背板（１６）の内面にかけ、連ねて添うよう、山型に形成された逆Ｌ字形のリブ（１９，１９，１９，１９）は、バケット（１５）から排雪するとき、雪の付着抵抗を弱め、容易に排雪可能であり、更に、床板（２０）や背板（１６）の補強機能を果している。
図４、が示すように、床板（２０）外底面に形成された複体形状の弓形により、適切な滑りをするガイド材（２２，２２，２２）は、屋根上の雪の上に置いても単体とは違って極端に沈むこともなく、雪の入ったバケット（１５）を押し出す際に重量感も半減し、容易にバケット（１５）を押し出すことが可能である。
【００１５】（ロ）図８、図９が示すように、バケット（１５）の背板（１６）の外面に、一体化にされた基盤（１４）には、翼体（３ｂ，４ｂ）が形成され、柄（２ａ）の先端に、キャップ（５０）を接着し、中心部には水抜孔（５１）を設ける。
可動部（１２）に関する翼体（３ｂ）及び翼体（４ｂ）の所定の位置に雌ネジボルト（４４）及び雄ネジボルト（４５）用の挿入が可能な通し孔（５２ａ）及び通し孔（５２）をあけ、柄（２ａ）の可動部（１２）にあたるキャップ（５０）を接着した形状の柄（２ａ）に雌ネジボルト（４４）及び雄ネジボルト（４５）が入り込む通し穴（５２ａ）と相対面する位置に、軸体（４９）が入る通し孔（５２ａ）をあけ、軸体（４９）を接着し、雌ネジボルト（４４）及び雄ネジボルト（４５）を軸体（４９）の内部に進入させ、締結することにより柄（２ａ）は上下自在に回動する。
一方、角度調節部（１３）は、翼体（３ｂ）同（４ｂ）の所定の位置に、雌ネジボルト（３９）及び雄ネジボルト（４０）の挿入可能な通し孔（５２）を複数あけ、該通し孔（５２）の相対面する位置の柄（２ａ）にも通し孔をあけ、雌ネジボルト（３９）及び雄ネジボルト（４０）を挿入し締結する。複数ある通し孔（５２）は、屋根に積もった雪の状態や、屋根の勾配等、現状に応じいずれかを選択し、自由に利用する。
【００１６】（ハ）本発明の伸縮装置（１１）は図７、で示すように、柄（１ａ）と柄（２ａ）は、現場の状態に適切に対応すべく、長短の調節をする目的のための装置で、ライナー（３１）の所定の位置に孔を設け、ブロック（３２）を嵌め込み、該ライナー（３１）を雌ネジ体（３０）と接触する面（Ｄ）に接着し、これに加え、カバー（２９）が接触する面（Ａ，Ｂ，Ｃ）を接着することにより、雌ネジ体（３０）が一体化となる。
一方、所定の位置にリング（３６）を接着してなる柄（２ａ）は、ブロック（３２）が進入する通路（３５）を設け、先端部（３７ａ）を拡径し、雄ネジ体（３４）に接着した一体化となる。
長短調節のため、雌ネジ体（３０）を緩めると、柄（１ａ）は移動が自在になり、柄（１ａ）の先端にＬ字形ストッパー（３７）を形成し、取手方向に引いても、柄（２ａ）に接着されているリング（３６）が止める作用により、抜け落ちることはない。
本装置は、雌ネジ体（３０）に一体化されたブロック（３２）を保持したライナー（３１）が雄ネジ体（３４）に接着した先端部（３７ａ）の通路（３５）を経て、リング（３６）の方向に停止する位置まで締め込み進入させることにより、柄（１ａ）の外面と柄（２ａ）の内面との間にブロック（３２）が狭持されており、柄（１ａ）は停止する。
また、柄（１ａ）による長短調節は、一体化とした雌ネジ体（３０）を緩めることによって雄ネジ体（３４）に接着し、拡径してある柄（２ａ）から離れ、柄（１ａ）は前後移動を自在にする。
【００１７】（ニ）取手（１０）は、図５、図６、が示すように一体化の形状で、作業時に手袋をはめていても容易に入る開口（２４）を設けた握り手（２３）を形成し、一方、つららを鉤棒体（２６）の鉤に挟み、テコの原理で折り落とす機能を有し、他方、雪下ろし作業中、屋根からの転落を防ぐべく、二階の窓等の手摺や格子等、所要の対象物に引っ掛ける機能を有する棒体（２５）を形成する。
更に、取手（１０）全体を支える軸体（２７）は、柄（１ａ）の頭部（４３）の内面に一部挿入し、リベット（２８，２８）により固定する。
【００１８】（ホ）本発明は、以上のような実施形態で、これを使うときは、バケット（１５）と一体化した基盤（１４）の翼体（３ｂ，４ｂ）に可動部（１２）用の孔（５２ａ）と角度調節部（１３）の通し孔（５２）を設け、また柄（２ａ）にも所定の位置に孔を設け、翼体（３ｂ）と翼体（４ｂ）の間に、柄（２ａ）を挿入し、翼体（３ｂ）と翼体（４ｂ）の通し孔（５２ａ）の位置に柄（２ａ）の孔を合致させ、可動部（１２）の雌ネジボルト（４４）と雄ネジボルト（４５）で双方から締め合って締結する。
一方、角度調節部（１３）は、角度調節のため複数あけた通し孔（５２）のいずれかに柄（２ａ）に設けた孔に合致させ、雌ネジボルト（３９）と雄ネジボルト（４０）で双方から締め合って締結する。
次に、Ｌ字形ストッパー（３７）を形成した柄（１ａ）を柄（２ａ）の内面に挿入後、柄（１ａ）の外側を通し、リング（３６）を柄（２ａ）の内面の所要の位置に接着する。
続いて、ブロック（３２）とライナー（３１）に加え、カバー（２９）とで一体化した雌ネジ体（３０）を取手の方向の柄（１ａ）の頭部（４３）から被せるように柄（１ａ）の外側を通し、雄ネジ体（３４）とで締結する。（図７、は締結完了直前の状態を示す）
更に、柄（１ａ）の頭部（４３）の内側に、取手（１０）の軸体（２７）の一部を挿入し、リベット（２８，２８）で固定することにより、本発明は一体となる。
また、取手（１０）は、単にバケット（１５）を押すだけではなく、他に鉤棒体（２６）の鉤につららを挟み、テコの原理で折り落とす機能をそなえ、棒体（２５）は、屋根上での作業者の移動や転落を防ぐ一つの命綱ともなるもので、二階の窓等の手摺や格子等、所要の対象物さえあれば棒体（２５）を引っ掛けて使用することが可能である。
本発明は、屋根の勾配や積雪の状態に応じ、バケット（１５）の角度の調節や伸縮装置で、柄（１ａ）の長さ調節し、取手（１０）で押す力を柄（１ａ）から柄（２ａ）に順次に伝え、最後は雪が入ったバケット（１５）に至り、バケット（１５）が軒先まで到達し、滑落させ使用するものである。
【図面の簡単な説明】
【００１９】
【図１】本発明の実施状態を示す全体斜視図。
【図２】本発明のバケットの拡大平面図（Ｄ−Ｄ）と一部平断面図。
【図３】本発明のバケットの拡大側面図。
【図４】本発明のバケットの拡大横断面。（Ｅ−Ｅ）
【図５】本発明の取手の拡大平面図。
【図６】本発明の取手の拡大縦断面図。（Ｃ−Ｃ）
【図７】本発明の伸縮装置の拡大縦断面図。
【図８】本発明の柄の可動部及び角度調節部の拡大平縦断図。（Ｂ−Ｂ）
【図９】本発明の基盤の翼体に取り付ける柄の形態を示した図８、のＡ−Ａの拡大縦断面図。
【符号の説明】
【００２０】１ａ  柄          １６  背板      ２９  カバー            ４２  先端
２ａ  柄          １７ａ  側板    ３０  雌ネジ体          ４３  頭部
３ｂ  翼体        １７ｂ  側板    ３１  ライナー          ４４  雌ネジボルト
４ｂ  翼体        １８  仕切板    ３２  ブロック          ４５  雄ネジボルト
Ａ  面          １９  リブ      ３３ａ  雌ネジ山        ４８  余間
Ｂ  面          ２０  床板      ３３ｂ  雄ネジ山        ４９  軸体
Ｃ  面          ２１  Ｒ背板    ３４  雄ネジ体          ５０  キャップ
Ｄ  面          ２２  ガイド材  ３５  通路              ５１  水抜孔
１０  取手        ２３  握り手    ３６  リング            ５２  通し孔
１１  伸縮装置    ２４  開口      ３７  Ｌ字形ストッパー  ５２ａ  通し孔
１２  可動部      ２５  棒体      ３７ａ  先端部          ５３  先端部
１３  角度調節部  ２６  鉤棒体    ３９  雌ネジボルト      ５４  後端部
１４  基盤        ２７  軸体      ４０  雄ネジボルト
１５  バケット    ２８  リベット  ４１  余間
【図１】
2007023754.tif 000003
【図２】
2007023754.tif 000004
【図３】
2007023754.tif 000005
【図４】
2007023754.tif 000006
【図５】
2007023754.tif 000007
【図６】
2007023754.tif 000008
【図７】
2007023754.tif 000009
【図８】
2007023754.tif 000010
【図９】
2007023754.tif 000011